(57)【特許請求の範囲】
【請求項１】
ネットワークエンティティのワイヤレス通信の方法であって、
ユーザ装置（ＵＥ）とパケットデータネットワーク（ＰＤＮ）との間の接続を確立することと、
常時オンステータスを有するものとして前記ＰＤＮを指定し、前記ＵＥと前記ＰＤＮとの間の前記接続を常時オンとして維持することと、
前記ＰＤＮとの前記接続の一時的な損失を識別することと、
前記ＵＥと前記ＰＤＮとの再接続を試みることと、
前記ＵＥがアイドルモードにある間に、前記再接続を試みるために必要な時間に基づいて計算された、事前に定義された時間間隔の間待った後に、前記常時オンステータスに基づいて、前記ＰＤＮとの前記接続の損失が検出されたことを前記ＵＥに通知することと、
を備え、
前記事前に定義された時間間隔は、前記ＰＤＮとの前記接続の前記一時的な損失の識別に基づき、若しくは、前記ＵＥと前記ＰＤＮとの再接続を試みる際に開始される、方法。
【請求項２】
前記ＰＤＮとの接続の前記損失が検出されたことを前記ＵＥに通知することは、前記ＰＤＮとの前記接続の損失を検出した際に前記ＵＥを呼び出すことを備える、請求項１に記載の方法。
【請求項３】
前記事前に定義された時間間隔は、前記ＰＤＮにサービスしているゲートウェイによって決定される、請求項１に記載の方法。
【請求項４】
前記事前に定義された時間間隔は、前記ＰＤＮ接続の切断の前に、前記ＰＤＮにサービスしている前記ゲートウェイによって提供される、請求項３に記載の方法。
【請求項５】
前記ＰＤＮにより提供されるサービスを常時オンステータスを有するものとして指定することと、
前記常時オンステータスに基づいて、前記サービスの損失が検出された時、前記ＵＥに通知することと、
をさらに備える、請求項１に記載の方法。
【請求項６】
前記ＰＤＮとの前記サービスの前記損失が検出された時に前記ＵＥに通知することは、前記ＰＤＮとの前記サービスの前記損失を検出した際に前記ＵＥを呼び出すことを含む、請求項５に記載の方法。
【請求項７】
ワイヤレス通信のための装置であって、
ユーザ装置（ＵＥ）とパケットデータネットワーク（ＰＤＮ）との間の接続を確立するための手段と、
常時オンステータスを有するものとして前記ＰＤＮを指定し、前記ＵＥと前記ＰＤＮとの間の前記接続を常時オンとして維持するための手段と、
前記ＰＤＮとの前記接続の一時的な損失を識別するための手段と、
前記ＵＥと前記ＰＤＮとの再接続を試みるための手段と、
前記ＵＥがアイドルモードにある間に、前記再接続を試みるために必要な時間に基づいて計算された、事前に定義された時間間隔の間待った後に、前記常時オンステータスに基づいて、前記ＰＤＮとの前記接続の損失が検出されたことを前記ＵＥに通知するための手段と、
を備え、
前記事前に定義された時間間隔は、前記ＰＤＮとの前記接続の前記一時的な損失の識別に基づき、若しくは、前記ＵＥと前記ＰＤＮとの再接続を試みる際に開始される、装置。
【請求項８】
前記ＰＤＮとの前記接続の前記損失が検出されたことを前記ＵＥに通知するための前記手段は、前記ＵＥがアイドルモードにある時、前記ＰＤＮとの前記接続の損失を検出した際に前記ＵＥを呼び出すように構成される、請求項７に記載の装置。
【請求項９】
前記事前に定義された時間間隔は、前記ＰＤＮにサービスしているゲートウェイによって決定される、請求項７に記載の装置。
【請求項１０】
前記事前に定義された時間間隔は、前記ＰＤＮ接続の切断の前に、前記ＰＤＮにサービスしている前記ゲートウェイによって提供される、請求項９に記載の装置。
【請求項１１】
前記ＰＤＮにより提供されるサービスを常時オンステータスを有するものとして指定するための手段と、
前記常時オンステータスに基づいて、前記サービスの損失が検出された時に前記ＵＥに通知するための手段と、
をさらに備える、請求項７に記載の装置。
【請求項１２】
前記ＰＤＮとの前記サービスの前記損失が検出された時に前記ＵＥに通知するための前記手段は、前記ＰＤＮとの前記サービスの前記損失を検出した際に前記ＵＥを呼び出すように構成される、請求項１１に記載の装置。
【請求項１３】
ワイヤレス通信のための装置であって、
メモリと、
前記メモリに結合された処理システムを備え、前記処理システムは、
ユーザ装置（ＵＥ）とパケットデータネットワーク（ＰＤＮ）との間の接続を確立することと、
常時オンステータスを有するものとして前記ＰＤＮを指定し、前記ＵＥと前記ＰＤＮとの間の前記接続を常時オンとして維持することと、
前記ＰＤＮとの前記接続の一時的な損失を識別することと、
前記ＵＥと前記ＰＤＮとの再接続を試みることと、
前記ＵＥがアイドルモードにある間に、前記再接続を試みるために必要な時間に基づいて計算された、事前に定義された時間間隔の間待った後に、前記常時オンステータスに基づいて、前記ＰＤＮとの前記接続の損失が検出されたことを前記ＵＥに通知することと、
を行うように構成され、
前記事前に定義された時間間隔は、前記ＰＤＮとの前記接続の前記一時的な損失の識別に基づき、若しくは、前記ＵＥと前記ＰＤＮとの再接続を試みる際に開始される、装置。
【請求項１４】
請求項１から請求項６のうちの１つの方法の全てのステップを実現するようにコンピュータによって実行可能なプログラム命令を備える、コンピュータプログラム。
【発明の詳細な説明】
【関連出願の相互参照】
【０００１】
[0001]  本出願は、「信頼性のある常時オンＰＤＮ接続の確立（Establishing Reliable Always-On PDN Connections）」と題され、２０１３年３月１４日に出願された米国仮出願第６１／７８５，８４１号、および、「信頼性のある常時オンケットデータネットワーク接続の確立（Establishing Reliable Always-On Packet Data Network Connections）」と題され、２０１４年３月１２日に出願された米国非仮出願第１４／２０７，２８２号の利益および優先権を主張し、それらは、その全体が参照により明示的にここに組み込まれる。
【技術分野】
【０００２】
[0002]  本開示は、一般に通信システムに関し、より具体的には、ユーザ装置が複数のパケットデータネットワーク（ＰＤＮ）に接続するワイヤレスネットワークに関する。
【背景技術】
【０００３】
[0003]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、都市、国家、地域、さらには地球規模で通信することを可能にする共通プロトコルを提供するために、様々な電気通信規格において採用されてきた。新興の電気通信規格の例が、ロングタームエボリューション（ＬＴＥ）である。ＬＴＥは、第３世代パートナーシッププロジェクト（３ＧＰＰ）によって公表されたユニバーサルモバイル電気通信システム（ＵＭＴＳ）モバイル規格の拡張セットである。それは、スペクトル効率を改善すること、コストを下げること、サービスを向上させること、新たなスペクトラムを利用すること、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より適切に他のオープンスタンダードに組み込むことによって、モバイルブロードバンドインターネットアクセスをより快適にサポートするように設計されている。しかしながら、モバイルブロードバンドアクセスに対する需要が増大し続けるにつれて、ＬＴＥ技術におけるさらなる改良の必要性が存在する。望ましくは、これらの改良は、これらの技術を用いる他の多重アクセス技術および電気通信規格に適用可能であるべきである。
【発明の概要】
【０００５】
[0005]  本開示のある態様では、方法、コンピュータプログラム製品および装置が提供される。装置は、ユーザ装置（ＵＥ）とパケットデータネットワーク（ＰＤＮ）との間の接続を確立し、そのＰＤＮを常時オンステータス（always-on status）を有するものとして指定（designate）し、ＵＥがアイドルモードにある間、その常時オンステータスに基づいて、そのＰＤＮとの接続の損失（loss）が検出された時に、ＵＥに通知し得る。
【０００６】
[0006]  ＵＥは、ＰＤＮとの接続の損失が検出された時、ＰＤＮとの接続の損失を検出した際の呼び出しによって、通知され得る。ＵＥは、ＵＥが接続の損失を通知されると、少なくとも１つの他のＰＤＮへ接続され得る。
【０００７】
[0007]  ＵＥは、事前に定義された時間間隔に基づく遅延の後で、ＰＤＮとの接続の損失が検出された時、通知され得る。事前に定義された時間間隔は、ＰＤＮの再接続を試みるために必要な時間に基づいて計算され得る。事前に定義された時間間隔は、ＰＤＮによって決定され得る。事前に定義された時間間隔は、ＰＤＮの切断の前に、ＰＤＮによって提供され得る。
【０００８】
[0008]  本開示のある態様では、装置は、ＰＤＮにより提供されるサービスを常時オンステータスを有するものとして指定し、その常時オンステータスに基づいて、サービスの損失が検出された時に、ＵＥに通知し得る。ＰＤＮとのサービスの損失が検出された時にＵＥに通知することは、ＰＤＮとのサービスの損失を検出した際にＵＥを呼び出すことを含み得る。
【０００９】
[0009]  本開示のある態様では、例えばＵＥなどの装置は、ＲＡＮに登録し、ＲＡＮを通して１つ以上のＰＤＮとの接続を確立し、ＲＡＮのネットワークエンティティに対して常時オンステータスを有するものとして指定されたＰＤＮを識別し得る。この装置は、アイドルモードへ入り、指定されたＰＤＮとＲＡＮとの間の接続が損失した時に、ネットワークエンティティから通知を受信し得る。
【００１０】
[0010]  指定されたＰＤＮとＲＡＮとの間の接続は、アイドルモードにある間に損失する。その通知は、ネットワークエンティティによって開始される呼び出し（a page）が受信された後に受信され得る。その通知は、１つ以上のＰＤＮのうちの少なくとも１つの他のＰＤＮに接続されている間、ネットワークエンティティから受信され得る。
【００１１】
[0011]  ＰＤＮの１つ以上により提供されるあるサービスは、常時オンステータスを有するものとして指定され得る。このサービスの常時オンステータスに基づいて、サービスの損失が検出された時にネットワークエンティティから通知が受信され得る。このサービスは、アイドルモードにある間に損失し得る。この通知は、ネットワークエンティティによって開始さる呼び出しが受信された後に受信され得る。
【図面の簡単な説明】
【００１２】
【図１】[0012]  図１は、ネットワークアーキテクチャの例を例示する図である。
【図２】[0013]  図２は、アクセスネットワークの例を例示する図である。
【図３】[0014]  図３は、ＬＴＥにおけるＤＬフレーム構造の例を例示する図である。
【図４】[0015]  図４は、ＬＴＥにおけるＵＬフレーム構造の例を例示する図である。
【図５】[0016]  図５は、ユーザおよび制御プレーンに関する無線プロトコルアーキテクチャの例を例示する図である。
【図６】[0017]  図６は、アクセスネットワークにおける発展型ノードＢおよびユーザ装置の例を例示する図である。
【図７】[0018]  図７は、ワイヤレスアクセスネットワークを例示する図である。
【図８】[0019]  図８は、ネットワークエンティティによるワイヤレス通信の方法のフローチャートである。
【図９】[0020]  図９は、例示的なネットワークエンティティ装置における異なるモジュール／手段／コンポーネント間のデータフローを例示する概念的なデータフロー図である。
【図１０】[0021]  図１０は、処理システムを用いるネットワークエンティティ装置のためのハードウェア実装の例を示す図である。
【図１１】[0022]  図１１は、ユーザ装置（ＵＥ）によるワイヤレス通信の方法のフローチャートである。
【図１２】[0023]  図１２は、例示的なＵＥにおける異なるモジュール／手段／コンポーネント間のデータフローを例示する概念的なデータフロー図である。
【図１３】[0024]  図１３は、処理システムを用いるＵＥに関するハードウェア実装の例を例示する図である。
【詳細な説明】
【００１３】
[0025]  添付の図面に関連して以下に説明する詳細な説明は、様々な構成の説明として意図されているものであり、ここに説明される概念が実施され得る唯一の構成を表すように意図されてはいない。詳細な説明は、様々な概念の徹底的な理解を提供することを目的として特定の詳細を含む。しかしながら、これらの概念がこれらの特定の詳細なしに実施され得ることは、当業者にとって明らかであるだろう。いくつかの例では、そのような概念をあいまいにすることを避けるために、周知の構造およびコンポーネントが、ブロック図の形態で示される。
【００１４】
[0026]  電気通信システムのいくつかの態様が、これから様々な装置および方法に関連して提示されることになる。これらの装置および方法は、続く詳細な説明の中で説明され、（「要素」と総称される）様々なブロック、モジュール、コンポーネント、回路、ステップ、プロセス、アルゴリズムなどによって、添付図面に例示される。これらの要素は、電子ハードウェア、コンピュータソフトウェア、またはこれらの任意の組み合わせを使用して実現され得る。このような要素が、ハードウェアとして実現されるか、あるいはソフトウェアとして実現されるかは、特定のアプリケーションおよびシステム全体に課せられる設計制約に依存する。
【００１５】
[0027]  例として、要素、またはある要素の任意の部分、または複数の要素の任意の組み合わせは、１つ以上のプロセッサを含む「処理システム」を用いて実現され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明された様々な機能性を実行するように構成された他の好適なハードウェアを含む。処理システムにおける１つ以上のプロセッサは、ソフトウェアを実行し得る。ソフトウェアは、ソフトウェア、ファームウェア、ミドルウェア、マイクロコード、ハードウェア記述言語、またはその他の名称で呼ばれようとも、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１６】
[0028]  したがって、１つ以上の例示的な実施形態では、説明される機能は、ハードウェア、ソフトウェア、ファームウェア、またはこれらの任意の組み合わせで実現され得る。ソフトウェアで実現される場合、これら機能は、コンピュータ読み取り可能な媒体上で、１つ以上の命令またはコードとして記憶または符号化され得る。コンピュータ読み取り可能な媒体は、コンピュータ記憶媒体を含む。記憶媒体は、コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコードを搬送または記憶するために使用されることができ、コンピュータによってアクセスされることができる、任意の他の媒体を備えることができる。ここで使用される場合、ディスク（ｄｉｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスクを含み、ここで、ディスク（ｄｉｓｋ）は、通常磁気的にデータを再生し、一方ディスク（ｄｉｓｃ）は、レーザーを用いて光学的にデータを再生する。上記の組み合わせもまた、コンピュータ読み取り可能な媒体の範囲内に含まれるべきである。
【００１７】
[0029]  図１は、ＬＴＥネットワークアーキテクチャ１００を例示する図である。ＬＴＥネットワークアーキテクチャ１００は、発展型パケットシステム（ＥＰＳ：Evolved Packet System）１００と称され得る。ＥＰＳ１００は、１つ以上のユーザ装置（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含み得る。ＥＰＳは、他のアクセスネットワークと相互接続することができるが、簡潔さのために、それらのエンティティ／インタフェースは示されていない。示されているように、ＥＰＳは、パケット交換サービスを提供するが、当業者が容易に理解することになるように、本開示の全体にわたって提示される様々な概念は、回線交換サービスを提供するネットワークに拡張され得る。
【００１８】
[0030]  Ｅ−ＵＴＲＡＮは、発展型ノードＢ（ｅＮＢ）１０６および他のｅＮＢ１０８を含む。ｅＮＢ１０６は、ＵＥ１０２に対して、ユーザおよび制御プレーンプロトコル終端を提供する。ｅＮＢ１０６は、バックホール（例えば、Ｘ２インタフェース）を介して、他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語でも呼ばれ得る。ｅＮＢ１０６は、ＵＥ１０２にＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、または任意の他の同様に機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。
【００１９】
[0031]  ｅＮＢ１０６は、Ｓ１インタフェースによってＥＰＣ１１０に接続される。ＥＰＣ１１０は、モビリティ管理エンティティ（ＭＭＥ）１１２、他のＭＭＥ１１４、サービングゲートウェイ１１６、ＰＤＮゲートウェイ１１８を含む。ＭＭＥ１１２は、ＵＥ１０２とＥＰＣ１１０の間のシグナリングを処理する制御ノードである。一般に、ＭＭＥ１１２は、ベアラおよび接続管理を提供する。すべてのユーザＩＰパケットは、それ自体がＰＤＮゲートウェイ１１８に接続されたサービングゲートウェイ１１６を通じて転送される。ＰＤＮゲートウェイ１１８は、ＵＥ  ＩＰアドレス割り振りのみならず、他の機能も提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）を含み得る。
【００２０】
[0032]  図２は、ＬＴＥネットワークアーキテクチャにおけるアクセスネットワーク２００の例を例示する図である。この例では、アクセスネットワーク２００は、多数のセルラ領域（セル）２０２に分割されている。１つ以上の、より低い電力クラスのｅＮＢ２０８は、セル２０２のうちの１つ以上とオーバーラップするセルラ領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４は各々、それぞれのセル２０２に割り当てられ、複数のセル２０２中のすべてのＵＥ２０６のためにＥＰＣ１１０へのアクセスポイントを提供するよう構成される。アクセスネットワーク２００のこの例には集中型（centralized）コントローラは存在しないが、代替の構成では、集中型コントローラが使用され得る。ｅＮＢ２０４は、無線ベアラ制御、アドミッション制御、モビリティ制御、スケジューリング、セキュリティ、およびサービングゲートウェイ１１６への接続性を含む、すべての無線に関連する機能（radio related function）を担う。
【００２１】
[0033]  アクセスネットワーク２００によって用いられる変調および多元接続スキームは、展開されている特定の電気通信規格に応じて異なり得る。ＬＴＥアプリケーションでは、ＯＦＤＭがＤＬで使用され、ＳＣ−ＦＤＭＡがＵＬで使用されて、周波数分割複信（ＦＤＤ）および時分割複信（ＴＤＤ）の両方をサポートする。以下に続く詳細な説明から当業者が容易に理解するように、ここに提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ（登録商標））、ＩＥＥＥ８０２．１１（Ｗｉ−Ｆｉ（登録商標））、および発展型ＵＴＲＡ（Ｅ−ＵＴＲＡ）に拡張され得る。ＵＴＲＡ、Ｅ−ＵＴＲＡ、ＵＭＴＳ、ＬＴＥ、およびＧＳＭは、３ＧＰＰ団体からの文書に説明されている。ＣＤＭＡ２０００およびＵＭＢは、３ＧＰＰ２団体からの文書に説明されている。用いられる実際のワイヤレス通信規格および多元接続技術は、特定のアプリケーションおよびシステムに課せられる全体的な設計制約に依存することになる。
【００２２】
[0034]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、異なるデータストリームを同一の周波数で同時に送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅および位相のスケーリングを適用し）、その後、ＤＬ上で複数の送信アンテナを通して各空間的にプリコーディングされたストリームを送信することによって達成される。空間的にプリコーディングされたデータストリームは、異なる空間シグネチャとともにＵＥ２０６（１つまたは複数の）へと到達し、これにより、ＵＥ２０６（１つまたは複数の）の各々がそのＵＥ２０６を宛先とする１つ以上のデータストリームを復元（recover）することが可能になる。ＵＬにおいて、各ＵＥ２０６は、空間的にプリコーディングされたデータストリームを送信し、これは、ｅＮＢ２０４が各空間的にプリコーディングされたデータストリームのソースを識別することを可能にする。
【００２３】
[0035]  空間多重化は、一般にチャネル状態が良好な場合に使用される。チャネル状態が良好とは言えない時には、１つ以上の方向に送信エネルギーを集中させるためにビームフォーミングが使用され得る。これは、複数のアンテナを通じた送信のためにデータを空間的にプリコーディングすることによって達成され得る。セルの端（edge）で優れたカバレッジを達成するために、シングルストリームビームフォーミング送信が、送信ダイバーシティと組み合わせて使用され得る。
【００２４】
[0036]  以下の詳細な説明では、アクセスネットワークの様々な態様が、ＤＬ上でＯＦＤＭをサポートするＭＩＭＯシステムに関連して説明される。ＯＦＤＭは、ＯＦＤＭシンボル内のいくつかのサブキャリアにわたってデータを変調するスペクトル拡散技法である。これらサブキャリアは、正確な周波数において間隔を隔てられている。この間隔をあけること（spacing）は、受信機がこれらサブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ）を補正する（compensate for）ために、ＤＦＴ拡散ＯＦＤＭ信号（DFT-spread OFDM signal）の形態でＳＣ−ＦＤＭＡを使用し得る。
【００２５】
[0037]  図３は、ＬＴＥにおけるＤＬフレーム構造の例を例示する図３００である。フレーム（１０ｍｓ）は、１０個の等しいサイズのサブフレームに分割され得る。各サブフレームは、２つの連続するタイムスロットを含み得る。１つのリソースグリッドが２つのタイムスロットを表すために使用され得、各タイムスロットは、１つのリソースブロックを含む。リソースグリッドは、複数のリソース要素に分割される。ＬＴＥでは、１つのリソースブロックは、周波数領域に１２個の連続するサブキャリア、そして、各ＯＦＤＭシンボルにおける１つのノーマルなサイクリックプリフィクスについては、時間領域に７個の連続するＯＦＤＭシンボル、すなわち８４個のリソース要素を含む。拡張サイクリックプリフィクスについては、１つのリソースブロックは、時間領域に６個の連続するＯＦＤＭシンボルを含み、７２個のリソース要素を有する。Ｒ３０２、３０４として示される、リソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は、変調スキームに依存する。したがって、ＵＥが受信するリソースブロックが多いほど、および、変調スキームが高度であるほど、ＵＥのためのデータレートはより高くなる。
【００２６】
[0038]  図４は、ＬＴＥにおけるＵＬフレーム構造の例を例示する図４００である。ＵＬのために利用可能なリソースブロックは、データセクションと制御セクションとに区分され得る。制御セクションは、システム帯域幅の２つの端に形成され得、設定可能なサイズを有し得る。制御セクションにおけるリソースブロックは、制御情報の送信のためにＵＥに割り当てられ得る。データセクションは、制御セクションに含まれないすべてのリソースブロックを含み得る。このＵＬフレーム構造は、連続したサブキャリアを含むデータセクションをもたらし、それは単一のＵＥがデータセクションにおける連続したサブキャリアのすべてを割り当てられることを可能にし得る。
【００２７】
[0039]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。ＵＥは、制御セクションにおける割り当てられたリソースブロック上で物理ＵＬ制御チャネル（ＰＵＣＣＨ）における制御情報を送信し得る。ＵＥは、データセクションにおける割り当てられたリソースブロック上でデータのみか、又は、データと物理ＵＬ共有チャネル（ＰＵＳＣＨ）おけるデータと制御情報の両方を送信し得る。ＵＬ送信は、サブフレームの両方のスロットにまたがる（span）ことができ、周波数にわたってホッピングし得る。
【００２８】
[0040]  複数のリソースブロックのあるセットが、最初のシステムアクセスを実行するために使用され得、物理ランダムアクセスチャネル（ＰＲＡＣＨ）４３０においてＵＬ同期を達成するために使用され得る。ＰＲＡＣＨ４３０は、ランダムシーケンスを搬送するが、いずれのＵＬデータ／シグナリングも搬送することはできない。各ランダムアクセスプリアンブルは、６個の連続するリソースブロックに対応する帯域幅を占有する。開始周波数（starting frequency）は、ネットワークによって規定される。すなわち、ランダムアクセスプリアンブルの送信は、ある特定の時間および周波数リソースに制限される。ＰＲＡＣＨについては周波数ホッピングは存在しない。ＰＲＡＣＨの試み（PRACH attempt）は、単一のサブフレーム（１ｍｓ）において、または少数の連続したサブフレームのシーケンスにおいて搬送され、ＵＥは、１フレーム（１０ｍｓ）ごとに単一のＰＲＡＣＨの試みだけを行うことができる。
【００２９】
[0041]  図５は、ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実現する。Ｌ１レイヤは、ここで物理レイヤ５０６と呼ばれることになる。レイヤ２（Ｌ２レイヤ）５０８は、物理レイヤ５０６より上位にあり、物理レイヤ５０６を介したＵＥとｅＮＢとの間のリンクを担う。
【００３０】
[0042]  ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバなど）において終端されるアプリケーションレイヤとを含む、Ｌ２レイヤ５０８より上位のいくつかの上位レイヤを有し得る。
【００３１】
[0043]  ＰＤＣＰサブレイヤ５１４は、異なる無線ベアラと論理チャネルとの間の多重化を提供する。ＰＤＣＰサブレイヤ５１４はまた、無線送信オーバヘッドを低減するための上位レイヤデータパケットのためのヘッダ圧縮を、データパケットを暗号化することによるセキュリティを、およびｅＮＢ間のＵＥのためのハンドオーバサポートを提供する。ＲＬＣサブレイヤ５１２は、上位レイヤのデータパケットのセグメンテーションおよび再組立て（reassembly）と、紛失データパケットの再送信と、ハイブリッド自動再送要求（ＨＡＲＱ）による、順序の狂った受信を補正するデータパケットの並べ替え（reordering）とを提供する。ＭＡＣサブレイヤ５１０は、論理チャネルとトランスポートチャネルの間の多重化を提供する。ＭＡＣサブレイヤ５１０はまた、複数のＵＥの間で１つのセルにおける様々な無線リソース（例えば、リソースブロック）を割り振ることを担う。ＭＡＣサブレイヤ５１０はまた、ＨＡＲＱ動作を担う。
【００３２】
[0044]  制御プレーンでは、ｅＮＢおよびＵＥのための無線プロトコルアーキテクチャは、制御プレーンについてはヘッダ圧縮機能がないことを除いて、物理レイヤ５０６およびＬ２レイヤ５０８については実質的に同じである。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担う。
【００３３】
[0045]  図６は、アクセスネットワークにおいてＵＥ６５０と通信しているｅＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能性を実現する。ＤＬでは、コントローラ／プロセッサ６７５は、様々な優先順位メトリック（priority metrics）に基づいて、ＵＥ６５０への無線リソースの割り振り、論理チャネルとトランスポートチャネルの間の多重化、パケットのセグメンテーションおよび並べ替え、暗号化、およびヘッダ圧縮を提供する。コントローラ／プロセッサ６７５はまた、ＨＡＲＱ動作、損失パケットの再送信、およびＵＥ６５０へのシグナリングを担う。
【００３４】
[0046]  送信（ＴＸ）プロセッサ６１６は、Ｌ１レイヤ（すなわち、物理レイヤ）のための様々な信号処理機能を実現する。信号処理機能は、ＵＥ６５０における前方誤り訂正（ＦＥＣ：forward error correction）を容易にするためにコーディングおよびインタリーブすることと、様々な変調スキーム（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ値直交振幅変調（Ｍ−ＱＡＭ：M-quadrature amplitude modulation））に基づいて信号コンステレーション（signal constellation）へマッピングすることとを含む。その後、符号化および変調されたシンボルは、並列ストリーム（parallel stream）に分けられる。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ：Inverse Fast Fourier Transform）を使用して組み合わされ、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調スキームを決定するため、並びに空間処理のために使用され得る。チャネル推定値は、ＵＥ６５０によって送信されたチャネル状態フィードバックおよび／または基準信号から導出され得る。そして、各空間ストリームは、別個の送信機６１８ＴＸを介して異なるアンテナ６２０に提供される。各送信機６１８ＴＸは、送信のためにそれぞれの空間ストリームでＲＦキャリアを変調する。
【００３５】
[0047]  ＵＥ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にこの情報を提供する。ＲＸプロセッサ６５６は、Ｌ１レイヤの様々な信号処理機能を実現する。ＲＸプロセッサ６５６は、ＵＥ６５０を宛先とした任意の空間ストリームを復元するために、その情報に対し空間処理を実行する。複数の空間ストリームがＵＥ６５０を宛先とする場合、それらは、ＲＸプロセッサ６５６によって単一のＯＦＤＭシンボルストリームに組み合わされ得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号の各サブキャリアに対して別個のＯＦＤＭシンボルストリームを備える。各サブキャリア上のシンボル、および基準信号は、ｅＮＢ６１０によって送信された最もふさわしそうな（most likely）信号コンステレーションポイントを決定することによって復元および復調される。これらの軟判定（soft decision）は、チャネル推定器６５８によって計算されるチャネル推定値に基づき得る。その後、軟判定は、物理チャネル上でｅＮＢ６１０によって本来送信された制御信号およびデータを復元するために、復号およびデインタリーブされる。その後、データおよび制御信号は、コントローラ／プロセッサ６５９に提供される。
【００３６】
[0048]  コントローラ／プロセッサ６５９は、Ｌ２レイヤを実現する。コントローラ／プロセッサは、プログラムコードおよびデータを記憶するメモリ６６０に関連付けられることができる。メモリ６６０は、コンピュータ読み取り可能な媒体と呼ばれ得る。ＵＬでは、コントローラ／プロセッサ６５９は、コアネットワークからの上位レイヤパケットを復元するために、トランスポートチャネルと論理チャネルの間の逆多重化、パケットの再組立て（packet reassembly）、暗号解読（deciphering）、ヘッダ復元（header decompression）、制御信号処理を提供する。その後、上位レイヤパケットはデータシンク６６２に提供され、それはＬ２レイヤより上位のすべてのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００３７】
[0049]  ＵＬでは、データソース６６７が、コントローラ／プロセッサ６５９に上位レイヤパケットを提供するために使用される。データソース６６７は、Ｌ２レイヤより上位のすべてのプロトコルレイヤを表す。ｅＮＢ６１０によるＤＬ送信に関して説明された機能性と同様に、コントローラ／プロセッサ６５９は、ｅＮＢ６１０による無線リソース割り振りに基づいて、論理チャネルとトランスポートチャネルの間の多重化、パケットセグメンテーションと並べ替え、暗号化、およびヘッダ圧縮を提供することによって、ユーザプレーンおよび制御プレーンのためのＬ２レイヤを実現する。コントローラ／プロセッサ６５９はまた、ＨＡＲＱ動作、損失パケットの再送信、ｅＮＢ６１０へのシグナリングを担う。
【００３８】
[0050]  ｅＮＢ６１０によって送信されたフィードバックまたは基準信号からチャネル推定器６５８によって導出されたチャネル推定値は、適切な符号化および変調スキームを選択し、空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００３９】
[0051]  ＵＬ送信は、ＵＥ６５０における受信機機能に関して説明されたのと同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０にこの情報を提供する。ＲＸプロセッサ６７０は、Ｌ１レイヤを実現し得る。
【００４０】
[0052]  コントローラ／プロセッサ６７５は、Ｌ２レイヤを実現する。コントローラ／プロセッサ６７５は、プログラムコードおよびデータを記憶するメモリ６７６に関連付けられることができる。メモリ６７６は、コンピュータ読み取り可能な媒体と呼ばれ得る。ＵＬでは、コントロール／プロセッサ６７５は、ＵＥ６５０からの上位レイヤパケットを復元するために、トランスポートチャネルと論理チャネルの間の逆多重化、パケットの再組立て、暗号解読、ヘッダ復元、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用して誤り検出を担う。
【００４１】
[0053]  図７は、ＵＥ７０２が、複数のＰＤＮ７１２、７１６、および７２０との接続を確立および維持するように適応されるまたは構成されるネットワーク環境を例示する図７００である。この説明の目的のために、図１のＭＭＥ１１２およびサービングゲートウェイ１１６は、単一のネットワークエンティティＭＭＥ／サービングゲートウェイ７０８として組み合わせて例示され、ＭＭＥ／サービングゲートウェイ７０８、ＭＭＥ７０８およびサービングゲートウェイ７０８と交換可能に称され得る。図７に描かれた例では、ＵＥ７０２は、ＩＭＳ  ＰＤＮゲートウェイ７１０を通してＩＭＳネットワーク７１２と、ＰＤＮゲートウェイ７１４を通してインターネット７１６と、およびＶＰＮ  ＰＤＮゲートウェイ７１０を通してＶＰＮネットワーク７１８と、接続を確立および維持している。ネットワーク７１２、７１６、および７２０のうちの２つ以上は、同じネットワーク上で異なったおよび区別されたサービスとして提供され得る。例えば、ＵＥ７０２上の１つ以上のアプリケーションは、ＰＤＮゲートウェイ７１４を通してインターネット７１６に接続され得、およびＵＥ７０２上のＶＰＮクライアントは、ＶＰＮゲートウェイ７１８を通してＶＰＮサービス７２０へ接続され得、ここで、ＶＰＮサービス７２０は、別のＶＰＮサーバ（示されていない）と接続するためにインターネット７１６を通り抜け（tunnel through）得る。
【００４２】
[0054]  Ｅ−ＵＴＲＡＮ７０４は、ＵＥ７０２が無線アクセスネットワークにおいてアクティブであってもアイドルであっても、ＵＥ７０２が少なくとも１つのＰＤＮゲートウェイ７１０、７１４、および７１８との連続接続（continuous connection）を維持する、「常時オン（always-on）」技術、であると考えられ得る。特に、Ｅ−ＵＴＲＡＮ７０４の「常時オン」態様は、ＵＥ７０２が、それが初めて無線アクセスネットワークに登録し、およびＰＤＮ７１２、７１６および／または７２０に接続する時にＵＥ７０２に割り当てられたアドレスで、無線アクセスネットワークを通して常に連絡可能（reachable）であることを、黙示的に要求する。例えば、ＵＥ７０２は、それがＰＤＮゲートウェイ７１４へ登録しインターネット７１６からサービスを取得する時、ＩＰアドレスを割り当てられ得る。Ｅ−ＵＴＲＡＮ７０４の「常時オン」態様によって、ＵＥ７０２は、それがＩＰアドレスを割り当てられているＰＤＮゲートウェイ７１０、７１４、または７１８を通して、および場合によっては同様にインターネットを介して連絡可能であるので、ＵＥ７０２はいつでもモバイル終端されたＩＰトラフィック（mobile terminated IP traffic）を受信することができる。
【００４３】
[0055]  ある特定のアプリケーションは、ＵＥ７０２がモバイル終端されたセッションおよび／またはコールをいつでも受信できるようにするために、音声、ＳＭＳ、ビデオ電話、プレゼンス（presence）等を含むＩＭＳサービスのような重要なアプリケーション（critical application）について、「常時オン」動作（behavior）に頼っている（rely on）ことがある。さらに、「常時オン」動作のある特定の複数の態様は、例えばアプリケーション動作（application behavior）を、ＵＥ７０２がＵＴＲＡＮ／ＧＥＲＡＮネットワークに登録し次第、それがＰＤＮ接続を要求して、その後アクティブを保つかまたはＰＤＮ接続を持続するために必要なステップを経るように適応することによって、ある特定の複数のＵＴＲＡＮ／ＧＥＲＡＮ技術に適用可能であり得る。１つの例では、「常時オン」動作は、ネットワークにおいて非活動性（inactivity）が検出されないように、ＵＥ７０２の最小限の活動性を保証することによって達成され得る。
【００４４】
[0056]  従来のシステムでは、ＰＤＮ７１２、７１６および／または７２０に接続されたＵＥ７０２は、ＰＤＮ７１２、７１６および／または７２０上で利用可能な様々なサービスが、必要な場合に利用可能であり、且つ、下りリンクトラフィックを、それがＰＤＮゲートウェイ７１０、７１４および／または７１８において受信される際に配信するであろうと見なし得る。例えば、ＵＥ７０２がＩＭＳ  ＰＤＮ７１２へ接続する場合、ＵＥ７０２は、それが、例えば、音声、ビデオ、およびＳＭＳメッセージを含むＩＭＳコールをするおよび受信する（make and receive IMS calls）ことができると見なし得る。ＵＥ７０２は、これらのサービスはＵＥ７０２がＰＤＮ７１２に接続されている限り利用可能であると見なす。しかしながら、１つ以上のネットワーク７１２、７１６および／または７２０は、ＰＤＮ７１２、７１６および／または７２０からのＵＥ７０２の切断を要求するかあるいはそれにつながる問題を経験し得る。従来のシステムでは、ＵＥ７０２は、ＵＥ７０２が接続モード（connected mode）にある場合は、切断を通知され得る。しかしながら、ＵＥ７０２がアイドルモードにある場合は、切断されたＰＤＮ７１２、７１６および／または７２０がそのＵＥにおける最後のＰＤＮ接続でない限り、ＵＥ７０２は切断を通知されない可能性がある。最後のＰＤＮ７１２、７１６および／または７２０からのＵＥ７０２の切断は、ＵＥ７０２の登録解除（deregistration）を暗示し得る。ＵＥ７０２の通知は、例えば、ＭＭＥ７０８によってなされ得る。
【００４５】
[0057]  ＵＥ７０２がＰＤＮ７１２、７１６および／または７２０の切断を通知されない時、ＵＥ７０２は、それがアイドルモードから接続に遷移してネットワークと同期する時に、ＰＤＮ７１２、７１６および／または７２０の切断を決定することになる。しかしながら、同期まで、ＵＥ７２０ＵＥは切断に気付かないままであり得、（すべてのＰＤＮ７１２、７１６および７２０からの）全ての加入されたサービスが、依然として利用可能であると誤って見なし得る。それ故に、「常時オン」切断通知は、最後のＰＤＮ接続７１２、７１６および／または７２０が切断された時だけ、提供され得る。
【００４６】
[0058]  ある特定の実施形態では、１つ以上の複数のネットワークエンティティ７０６、７０８、７１０、７１４および／または７１８は、理由の如何を問わず、ＰＤＮ７１２、７１６および７２０が無線アクセスネットワークから切断される時にはＵＥ７０２に義務的に知らせるように、構成または適応され得る。無線アクセスネットワークは、時としてＭＭＥ７０８からのガイダンスの下で、アイドルのＵＥ７０２を明示的に呼び出して（page）、ＵＥ７０２がＰＤＮ７１２、７１６および７２０の切断を知らされ得るように、それを接続状態に導き（bring it into）得る。追加的なシグナリングが要求され得、増加されたシグナリング負荷のためにそしてそれが望ましくない可能性があるために、無線アクセスネットワークおよび／またはＭＭＥは、ＵＥ７０２がＰＤＮ切断を知らされるべきである１つ以上のＰＤＮ接続を、知らされ得る。
【００４７】
[0059]  いくつかの実施形態では、ＵＥ７０２は、切断の通知を要求している「常時オン」接続としてそのＰＤＮを指定することをＵＥ７０２が望んでいることを、無線アクセスネットワークおよび／またはＭＭＥに明示的に知らせ得る。ＵＥ７０２は、ＰＤＮ７１２、７１６および／または７２０に接続している間か、あるいはその接続に続く時点に、無線アクセスネットワークおよび／またはＭＭＥに、知らせ得る。１つの例では、ＵＥ７０２は、ＰＤＮ７１２、７１６および／または７２０からの新しいサービスへ加入する際に、接続ステータスを「常時オン」へ変更し得る。「常時オン」指定のインジケーションは、例えば、ＰＤＮ接続要求メッセージ（ＰＤＮ Connectivity Request message）中でまたはＥＰＳベアラ修正メッセージ（EPS Bearer Modification message）中で無線アクセスネットワークへ送られ得る。
【００４８】
[0060]  ＰＤＮ７１２、７１６または７２０接続の「常時オン」特性（nature）の通知の際、理由の如何を問わず、ＰＤＮ７１２、７１６または７２０が無線アクセスネットワークから切断される場合、ＭＭＥおよび／または無線アクセスネットワークは適切なアクションを取るように構成され得る。その結果、ＵＥ７０２によって「常時オン」として指定されたＰＤＮ接続が切断される場合、ＭＭＥおよび／または無線アクセスネットワークは、ＵＥ７０２がアイドルモードである場合であっても、ＵＥ７０２に切断を知らせることを要求され得る。ＰＤＮ接続が「常時オン」接続として指定されていない場合は、ＭＥＭおよび／または無線アクセスネットワークは、ＵＥ７０２に知らせることを控え得、そしてＵＥ７０２は、ＵＥ７０２が接続モードへ遷移した後にＵＥ７０２が無線アクセスネットワークに同期する時、ＰＤＮ７１２、７１６または７２０の接続ステータスの変更を決定し得る。
【００４９】
[0061]  いくつかの実施形態では、ＭＥＭおよび／または無線アクセスネットワークは、ＰＤＮ７１２、７１６または７２０への切断の通知を遅延し得る。この遅延は、ＰＤＮ７１２、７１６または７２０に再接続するための十分な時間を提供するために選択され得る。この遅延は、切断が一時的であるという決定に基づいて開始され得る。例えば、ＰＤＮ７１２、７１６または７２０は、サーバまたは他のネットワークデバイスの再起動（reboot）に起因して、計画された切断をＭＥＭおよび／または無線アクセスネットワークに通知し得る。いくつかの実施形態では、遅延は、ＭＥＭおよび／または無線アクセスネットワークがＰＤＮ７１２、７１６または７２０への接続を再確立しようと試みる際に開始され得る。
【００５０】
[0062]  いくつかの実施形態では、ＭＥＭおよび／または無線アクセスネットワークは、ＰＤＮ７１２、７１６または７２０からのサービスの部分的な損失をＵＥ７０２に知らせるように要求され得る。１つの例では、ＰＤＮ７１２、７１６または７２０は、ＵＥ７０２に、それのプレゼンスまたはＵＥ７０２のユーザのプレゼンスを、異なるネットワーク中で接続された多様なデバイスにアドバタイズすることを可能にするプレゼンスサーバへのアクセスを提供し得る。プレゼンスサーバの損失は、ＵＥ７０２へのＶＰＮコールの開始および／またはメッセージの送信を妨げ得る。しかしながら、プレゼンスサーバへのアクセスを提供したＰＤＮ７１２、７１６または７２０は、ＵＥ７０２に関する他のサービスを提供し続け得、ＰＤＮ７１２、７１６または７２０への切断の通知は不適切であることになり得る。したがって、ＰＤＮ７１２、７１６または７２０によって提供されるあるサービスおよび／またはＵＥ７０２は、無線アクセスネットワークに、あるサービスが「常時オン」サービスとして指定されるべきであると通知し得、それにより無線アクセスネットワークは、そのサービスの損失のいかなる決定もＵＥ７０２に通知することを要求され得る。
【００５１】
[0063]  図８は、ワイヤレス通信の方法のフローチャート８００である。この方法は、ＭＭＥ７０８のようなネットワークエンティティによって実行され得る。ステップ８０２において、ＭＭＥ７０８は、ＵＥ７０２とＰＤＮ７１２、７１６または７２０との間の接続を確立する。ステップ８０４において、ＭＭＥ７０８は、そのＰＤＮ７１２、７１６または７２０を、常時オンステータスを有するものとして指定する。
【００５２】
[0064]  ステップ８０６において、ＭＭＥ７０８は、ＵＥがアイドルモードにある間、その常時オンステータスに基づいて、ＰＤＮ７１２、７１６、７２０との接続の損失が検出された時にＵＥ７０２に通知し得る。ＰＤＮ７１２、７１６、７２０との接続の損失が検出された時にＵＥ７０２に通知することは、ＵＥがアイドルモードにある時、ＰＤＮとの接続の損失を検出した際にＵＥを呼び出すことを含み得る。ＰＤＮ７１２、７１６、７２０との接続の損失が検出された時にＵＥ７０２に通知することは、事前に定義された時間間隔の遅延の後に、実行され得る。事前に定義された時間間隔は、ＰＤＮ７１２、７１６、７２０の再接続を試みるために必要な時間に基づいて計算され得る。事前に定義された時間間隔は、ＰＤＮ７１２、７１６、７２０にサービスしているＰＤＮゲートウェイ７１０、７１４、７１８によって決定され得る。事前に定義された時間間隔は、ＰＤＮ接続の切断の前に、ＰＤＮ７１２、７１６、７２０にサービスしているＰＤＮゲートウェイ７１０、７１４、７１８によって提供され得る。
【００５３】
[0065]  いくつかの実施形態では、ＵＥ７０２が接続の損失を通知される時、ＵＥ７０２は少なくとも１つの他のＰＤＮ７１２、７１６、７２０へ接続される。いくつかの実施形態では、ＰＤＮにより提供されるサービスは、常時オンステータスを有するものとして指定され得、ＵＥ７０２は、ＵＥ７０２がアクティブモードにあるかアイドルモードにあるかどうかに関わらず、サービスの損失がその常時オンステータスに基づいて検出た時に、通知され得る。ＰＤＮ７１２、７１６、７２０とのサービスの損失が検出された時にＵＥ７０２に通知することは、ＵＥがアイドルモードにある時、ＰＤＮ７１２、７１６、７２０とのサービスの損失を検出した際に、ＵＥ７０２を呼び出すことを含み得る。
【００５４】
[0066]  図９は、例示的な装置９０２における異なるモジュール／手段／コンポーネント間のデータフローを例示する概念的なデータフロー図９００である。この装置は、ｅＮＢ７０８およびＭＭＥ７０８のうちの１つ以上を備えるネットワークエンティティであり得る。この装置は、ＵＥ９５０からの接続の要求を受信する受信モジュール９０４、要求された接続を確立し、維持し、モニタする接続メンテナンスモジュール９０６、ＵＥ９０５へ送られるべき損失した接続の通知に備える通知モジュール９０８、およびＵＥがアイドルモードにある間、ＵＥ９５０へ通知を送信する送信モジュール９１０を含む。
【００５５】
[0067]  この装置は、図８の前述のフローチャートにおけるアルゴリズムのステップの各々を実行する追加のモジュールを含み得る。したがって、図８の前述のフローチャートにおける各ステップは、あるモジュールによって実行され得、この装置は、これらのモジュールのうちの１つ以上を含み得る。これらモジュールは、述べられたプロセス／アルゴリズムを実施するように特に構成された１つ以上のハードウェアコンポーネントであるか、述べられたプロセス／アルゴリズムを実行するよう構成されたプロセッサによって実現されるか、プロセッサによる実現のためにコンピュータ読み取り可能な媒体内に記憶されるか、またはこれらの何らかの組み合わせであり得る。
【００５６】
[0068]  図１０は、処理システム１０１４を用いる装置９０２’についてのハードウェア実装の例を例示する図１０００である。処理システム１０１４は、概してバス１０２４によって表されたバスアーキテクチャを用いて実装され得る。バス１０２４は、処理システム１０１４の特定のアプリケーションおよび全体的な設計制約に応じて、相互接続バスおよびブリッジをいくつでも含み得る。バス１０２４は、プロセッサ１００４、モジュール９０４、９０６、９０８、９１０、およびコンピュータ読み取り可能な媒体１００６で表される１つ以上のプロセッサおよび／またはハードウェアモジュールを含む様々な回路を互いにリンクさせる。バス１０２４はまた、タイミングソース、周辺機器、電圧レギュレータ、および電力管理回路のような、様々な他の回路もリンクさせ得るが、これらは、当該技術で周知であるため、これ以上説明されることはない。
【００５７】
[0069]  処理システム１０１４は、トランシーバ１０１０に結合され得る。トランシーバ１０１０は、１つ以上のアンテナ１０２０に結合される。トランシーバ１０１０は、送信媒体を介して様々な他の装置と通信するための手段を提供する。処理システム１０１４は、コンピュータ読み取り可能な媒体１００６に結合されたプロセッサ１００４を含む。プロセッサ１００４は、コンピュータ読み取り可能な媒体１００６に記憶されたソフトウェアの実行を含む一般的な処理を担う。このソフトウェアは、プロセッサ１００４によって実行された時、処理システム１０１４に、任意の特定の装置について上記に説明された様々な機能を実行させる。コンピュータ読み取り可能な媒体１００６はまた、ソフトウェアを実行する際にプロセッサ１００４によって操作されるデータを記憶するために使用され得る。処理システムはさらに、モジュール９０４、９０６、９０８、および９１０のうちの少なくとも１つを含む。これらのモジュールは、プロセッサ１００４上で動作（run）するかコンピュータ読み取り可能な媒体１００６に存在／記憶されたソフトウェアモジュールか、プロセッサ１００４に結合された１つ以上のハードウェアモジュールか、またはそれらの何らかの組み合わせであり得る。処理システム１０１４は、ｅＮＢ６１０のコンポーネントであり得、メモリ６７６および／またはＴＸプロセッサ６１６、ＲＸプロセッサ６７０、およびコントローラ／プロセッサ６７５のうちの少なくとも１つを含み得る。
【００５８】
[0070]  １つの構成では、ワイヤレス通信のための装置９０２／９０２’は、ＵＥとＰＤＮとの接続を確立するための手段、そのＰＤＮを常時オンステータスを有するものとして指定するための手段、およびＵＥがアイドルモードにある間、その常時オンステータスに基づいてそのＰＤＮとの接続の損失が検出された時ＵＥに通知するための手段を含む。
【００５９】
[0071]  前述の手段は、前述の手段によって記載された機能を実行するように構成された装置９０２’の処理システム１０１４および／または装置９０２の前述のモジュールのうちの１つ以上であり得る。上記に説明されたように、処理システム１０１４は、ＴＸプロセッサ６１６、ＲＸプロセッサ６７０、およびコントローラ／プロセッサ６７５を含み得る。したがって、１つの構成では、前述の手段は、前述の手段によって記載された機能を実行するよう構成された、ＴＸプロセッサ６１６、ＲＸプロセッサ６７０、およびコントローラ／プロセッサ６７５であり得る。
【００６０】
[0072]  図１１は、ワイヤレス通信の方法のフローチャート１１００である。この方法は、ＵＥによって実行され得る。ステップ１１０２において、ＵＥ７０２は、ＭＭＥ７０８のようなネットワークエンティティを通して、無線アクセスネットワーク（ＲＡＮ）に登録する。ステップ１１０４において、ＵＥは、ＲＡＮを通して１つ以上のパケットデータネットワーク（ＰＤＮ）７１２、７１６、７２０との接続を確立する。ステップ１１０６において、ＵＥ７０２は、ＲＡＮのネットワークエンティティ７０８に対して常時オンステータスを有するものとして指定されたＰＤＮ７１２、７１６、７２０を識別する。オプションとして、ステップ１１０８において、ＵＥは、１つ以上のＰＤＮ７１２、７１６、７２０によって提供されるサービスを常時オンステータスを有するものとして指定し得る。
【００６１】
[0073]  ステップ１１０８において、ＵＥ７０２は、アイドルモードへ入る。ステップ１１１０において、ＵＥ７０２は、指定されたＰＤＮ７１２、７１６、７２０とＲＡＮとの間の接続が損失した時に、ネットワークエンティティ７０８から通知を受信する。指定されたＰＤＮ７１２、７１６、７２０とＲＡＮとの間の接続は、ＵＥ７０２がアイドルモードにある間に損失し得る。この場合、通知は、ネットワークエンティティによって開始された呼び出しがＵＥ７０２によって受信された後に、ネットワークエンティティ７０８から受信される。この通知は、ＵＥ７０２が、１つ以上のＰＤＮ７１２、７１６、７２０のうちの少なくとも１つの他のＰＤＮへ接続されている間、ネットワークエンティティ７０８から受信され得る。
【００６２】
[0074]  あるサービスが常時オンとして指定される場合、通知は、サービスのその常時オンステータスに基づいて、このサービスの損失が検出された時にネットワークエンティティ７０８から受信される。サービスは、ＵＥ７０２がアイドルモードにある間に失われ得、この場合通知は、ネットワークエンティティによって開始された呼び出しがＵＥ７０２によって受信された後に、ネットワークエンティティ７０８から受信される。
【００６３】
[0075]  図１２は、例示的な装置１２０２における異なるモジュール／手段／コンポーネント間のデータフローを例示する概念的なデータフロー図１２００である。この装置は、ＵＥであり得る。この装置１２０２は、ＵＥをＲＡＮに登録する登録モジュール１２０４、およびそのＲＡＮを通して１つ以上のＰＤＮとの接続を確立する接続確立モジュール１２０６を含む。ＲＡＮとのインテラクションは、ネットワークエンティティ１２５０を通して行われる。この装置１２０２はまた、ＵＥのアイドルモードへのエントリを制御するアイドルモードモジュール１２０８、ＲＡＮのネットワークエンティティ１２５０に対して常時オンステータスを有するものとして指定されたＰＤＮを識別する常時オン識別モジュール１２１０、および指定されたＰＤＮとＲＡＮとの間の接続が損失した時、ネットワークエンティティ１２５０から通知を受信する受信モジュール１２１２を含む。
【００６４】
[0076]  この装置は、図１１の前述のフローチャートにおけるアルゴリズムのステップの各々を実行する追加のモジュールを含み得る。したがって、図１１の前述のフローチャートにおける各ステップは、あるモジュールによって実行され得、この装置は、これらのモジュールのうちの１つ以上を含み得る。これらモジュールは、述べられたプロセス／アルゴリズムを実施するように特に構成された１つ以上のハードウェアコンポーネントであるか、述べられたプロセス／アルゴリズムを実行するよう構成されたプロセッサによって実現されるか、プロセッサによる実現のためにコンピュータ読み取り可能な媒体内に記憶されるか、またはこれらの何らかの組み合わせであり得る。
【００６５】
[0077]  図１３は、処理システム１３１４を用いる装置１２０２’についてのハードウェア実装の例を例示する図１３００である。処理システム１３１４は、概してバス１３２４によって表されるバスアーキテクチャを用いて実装され得る。バス１３２４は、処理システム１３１４の特定のアプリケーションおよび全体的な設計制約に応じて、相互接続バスおよびブリッジをいくつでも含み得る。バス１３２４は、プロセッサ１３０４、モジュール１２０４、１２０６、１２０８、１２１０、１２１２、およびコンピュータ読み取り可能な媒体／メモリ１３０６によって表される、１つ以上のプロセッサおよび／またはハードウェアモジュールを含む様々な回路を互いにリンクする。バス１３２４はまた、タイミングソース、周辺機器、電圧レギュレータ、および電力管理回路のような、様々な他の回路もリンクさせ得るが、これらは、当該技術で周知であるため、これ以上説明されることはない。
【００６６】
[0078]  処理システム１３１４は、トランシーバ１３１０に結合され得る。トランシーバ１３１０は、１つ以上のアンテナ１３２０に結合される。トランシーバ１３１０は、送信媒体を介して様々な他の装置と通信するための手段を提供する。処理システム１３１４は、コンピュータ読み取り可能な媒体／メモリ１３０６に結合されたプロセッサ１３０４を含む。プロセッサ１３０４は、コンピュータ読み取り可能な媒体／メモリ１３０６に記憶されたソフトウェアの実行を含む一般的な処理を担う。このソフトウェアは、プロセッサ１３０４によって実行されたとき、処理システム１３１４に、任意の特定の装置について上記に説明された様々な機能を実行させる。コンピュータ読み取り可能な媒体／メモリ１３０６はまた、ソフトウェアを実行する際にプロセッサ１３０４によって操作されるデータを記憶するために使用され得る。処理システムはさらに、モジュール１２０４、１２０６、１２０８、１２１０および１２１２のうちの少なくとも１つを含む。これらのモジュールは、プロセッサ１３０４上で動作するかコンピュータ読み取り可能な媒体／メモリ１３０６に存在／記憶されたソフトウェアモジュールか、プロセッサ１３０４に結合された１つ以上のハードウェアモジュールか、またはそれらの何らかの組み合わせであり得る。処理システム１３１４は、ＵＥ６５０のコンポーネントであり得、メモリ６６０および／またはＴＸプロセッサ６６８、ＲＸプロセッサ６５６、およびコントローラ／プロセッサ６５９のうちの少なくとも１つを含み得る。
【００６７】
[0079]  ある構成では、ワイヤレス通信のための装置１２０２／１２０２’は、ＲＡＮに登録するための手段と、そのＲＡＮを通して１つ以上のＰＤＮとの接続を確立するための手段と、アイドルモードへ入るための手段と、そのＲＡＮのネットワークエンティティに対して常時オンステータスを有するとして指定されたＰＤＮを識別するための手段と、指定されたＰＤＮとＲＡＮとの間の接続が損失した時にネットワークエンティティから通知を受信するための手段と、１つ以上のＰＤＮによって提供されたサービスを常時オンステータスを有するとして指定するための手段を含む。
【００６８】
[0080]  前述の手段は、前述の手段によって記載された機能を実行するように構成された装置１２０２’の処理システム１３１４および／または装置１２０２の前述のモジュールのうちの１つ以上であり得る。上記に説明されたように、処理システム１３１４は、ＴＸプロセッサ６６８、ＲＸプロセッサ６５６、およびコントローラ／プロセッサ６５９を含み得る。したがって、１つの構成では、前述の手段は、前述の手段によって記載された機能を実行するよう構成されたＴＸプロセッサ６６８、ＲＸプロセッサ６５６、およびコントローラ／プロセッサ６５９であり得る。
【００６９】
[0081]  開示された処理におけるステップの特定の順序または階層は、例示的なアプローチの一例であるということは理解される。設計の選好に基づいて、これらのプロセスにおけるステップの特定の順序または階層は並べ替えられ得ることは理解される。さらに、いくつかのステップは、組み合わせられ得るか、または省略され得る。付随の方法の請求項は、様々なステップの要素を例示的な順序で提示するが、それらは提示された特定の順序または階層に限定されることを意味してはいない。
【００７０】
[0082]  先の説明は、ここに説明された様々な態様を当業者が実施できるように提供されている。これらの態様への様々な修正は、当業者にとって容易に明らかとなり、ここに定義された一般的な原理は、他の態様に適用され得る。したがって、請求項は、ここに示される態様に限定されるようには意図されておらず、請求項の文言と一致する最大の範囲を認められるものであり、この場合、単数形でのある要素への言及は、そのように明確に述べられていない限りは、「１つおよび１つのみ」を意味するのではなく、むしろ「１つ以上」を意味するように意図されている。そうでないことが明確に述べられていない限り、「いくつかの」という用語は、１つ以上のことを指す。当業者に知られている、または後に知られることになる、本開示全体にわたって説明された様々な態様の要素のすべての構造的および機能的同等物は、参照によりここに明確に組み込まれ、特許請求の範囲に包含されるよう意図されている。さらに、本明細書における如何なる開示も、そのような開示が特許請求の範囲に明確に記載されているか否かに関わらず、公に捧げられることを意図されたものではない。要素が「〜のための手段」という表現を使用して明記されていない限り、どの請求項の要素もミーンズプラスファンクションとして解釈されるべきではない。  以下に本願出願当初の特許請求の範囲を付記する。
[Ｃ１]  ネットワークエンティティのワイヤレス通信のための方法であって、
ユーザ装置（ＵＥ）とパケットデータネットワーク（ＰＤＮ）との間の接続を確立することと、
前記ＰＤＮを常時オンステータスを有するものとして指定することと、
前記ＵＥがアイドルモードにある間に、前記常時オンステータスに基づいて、前記ＰＤＮとの接続の損失が検出された時に前記ＵＥに通知することと、
を備える、方法。
[Ｃ２]  前記ＰＤＮを常時オンステータスを有するものとして指定することは、前記ＵＥと前記ＰＤＮとの間の前記接続が常時オンであると指定された前記ＰＤＮにサービスしているゲートウェイへ、前記ＵＥがシグナリングしたことを示す情報を受信することを備える、Ｃ１に記載の方法。
[Ｃ３]  前記ＰＤＮとの前記接続の損失が検出された時に前記ＵＥに通知することは、前記ＰＤＮとの前記接続の損失を検出した際に前記ＵＥを呼び出すことを備える、Ｃ１に記載の方法。
[Ｃ４]  前記ＰＤＮとの接続の損失が検出された時に前記ＵＥに通知することは、前記接続の損失を前記ＵＥに通知する前に、事前に定義された時間間隔の間待つことを備える、Ｃ１に記載の方法。
[Ｃ５]  前記事前に定義された時間間隔は、前記ＰＤＮの再接続を試みるために必要な時間に基づいて計算される、Ｃ４に記載の方法。
[Ｃ６]  前記事前に定義された時間間隔は、前記ＰＤＮにサービスしているゲートウェイによって決定される、Ｃ４に記載の方法。
[Ｃ７]  前記事前に定義された時間間隔は、前記ＰＤＮ接続の切断の前に、前記ＰＤＮにサービスしている前記ゲートウェイによって提供される、Ｃ６に記載の方法。
[Ｃ８]  前記ＰＤＮにより提供されるサービスを常時オンステータスを有するものとして指定することと、
前記常時オンステータスに基づいて、前記サービスの損失が検出された時、前記ＵＥに通知することと、
をさらに備える、Ｃ１に記載の方法。
[Ｃ９]  前記ＰＤＮとの前記サービスの前記損失が検出された時に前記ＵＥに通知することは、前記ＰＤＮとの前記サービスの前記損失を検出した際に前記ＵＥを呼び出すことを含む、Ｃ８に記載の方法。
[Ｃ１０]  ワイヤレス通信のための装置であって、
ユーザ装置（ＵＥ）とパケットデータネットワーク（ＰＤＮ）との間の接続を確立するための手段と、
前記ＰＤＮを常時オンステータスを有するものとして指定するための手段と、
前記ＵＳがアイドルモードにある間、前記常時オンステータスに基づいて、前記ＰＤＮとの接続の損失が検出された時に前記ＵＥに通知するための手段と、
を備える、装置。
[Ｃ１１]  前記ＰＤＮを常時オンステータスを有するものとして指定するための前記手段は、前記ＵＥと前記ＰＤＮとの間の前記接続が常時オンであると指定された前記ＰＤＮにサービスしているゲートウェイへ、前記ＵＥがシグナリングしたことを示す情報を受信するように構成される、Ｃ１０に記載の装置。
[Ｃ１２]  前記ＰＤＮとの前記接続の損失が検出された時に前記ＵＥに通知するための前記手段は、前記ＵＥがアイドルモードある時、前記ＰＤＮとの前記接続の損失を検出した際に前記ＵＥを呼び出すように構成される、Ｃ１０に記載の装置。
[Ｃ１３]  前記ＰＤＮとの接続の損失が検出された時に前記ＵＥに通知するための前記手段は、前記接続の損失を前記ＵＥに通知する前に、事前に定義された時間間隔の間待つように構成される、Ｃ１０に記載の装置。
[Ｃ１４]  前記事前に定義された時間間隔は、前記ＰＤＮの再接続を試みるために必要な時間に基づいて計算される、Ｃ１３に記載の装置。
[Ｃ１５]  前記事前に定義された時間間隔は、前記ＰＤＮにサービスしているゲートウェイによって決定される、Ｃ１３に記載の装置。
[Ｃ１６]  前記事前に定義された時間間隔は、前記ＰＤＮ接続の切断の前に、前記ＰＤＮにサービスしている前記ゲートウェイによって提供される、Ｃ１５に記載の装置。
[Ｃ１７]  前記ＰＤＮにより提供されるサービスを常時オンステータスを有するものとして指定するための手段と、
前記常時オンステータスに基づいて、前記サービスの損失が検出された時に前記ＵＥに通知するための手段と、
をさらに備える、Ｃ１０に記載の装置。
[Ｃ１８]  前記ＰＤＮとの前記サービスの前記損失が検出された時に前記ＵＥに通知するための前記手段は、前記ＰＤＮとの前記サービスの前記損失を検出した際に前記ＵＥを呼び出すように構成される、Ｃ１７に記載の装置。
[Ｃ１９]  ワイヤレス通信のための装置であって、
メモリと、
前記メモリに結合された処理システムを備え、前記処理システムは、
ユーザ装置（ＵＥ）とパケットデータネットワーク（ＰＤＮ）との間の接続を確立することと、
前記ＰＤＮを常時オンステータスを有するものとして指定することと、
前記ＵＥがアイドルモードにある間に、前記常時オンステータスに基づいて、前記ＰＤＮとの接続の損失が検出された時に前記ＵＥに通知することと、
を行うように構成される、
装置。
[Ｃ２０]  コンピュータ読み取り可能な媒体を備えるコンピュータプログラム製品であって、
前記コンピュータ読み取り可能な媒体は、
ユーザ装置（ＵＥ）とパケットデータネットワーク（ＰＤＮ）との間の接続を確立することと、
前記ＰＤＮを常時オンステータスを有するものとして指定することと、
前記ＵＥがアイドルモードにある間に、前記常時オンステータスに基づいて、および前記ＵＥがアクティブモードであるかアイドルモードであるかどうかにかかわらず、前記ＰＤＮとの接続の損失が検出された時に前記ＵＥに通知することと、
を行うためのコードを備える、コンピュータプログラム製品。
[Ｃ２１]  ユーザ装置（ＵＥ）のワイヤレス通信の方法であって、
無線アクセスネットワーク（ＲＡＮ）に登録することと、
前記ＲＡＮを通じて、１つ以上のパケットデータネットワーク（ＰＤＮ）との接続を確立することと、
前記ＲＡＮのネットワークエンティティに対して常時オンステータスを有するとして指定されたＰＤＮを識別することと、
アイドルモードへ入ることと、
前記指定されたＰＤＮと前記ＲＡＮとの間の接続が損失した時、前記ネットワークエンティティから通知を受信することと、
を備える、方法。
[Ｃ２２]  前記アイドルモードの間に、前記指定されたＰＤＮと前記ＲＡＮとの間の前記接続が損失した時、前記通知は、前記ネットワークエンティティによって開始された呼び出しが前記ＵＥによって受信された後に、前記ネットワークエンティティから受信される、Ｃ２１に記載の方法。
[Ｃ２３]  前記通知は、前記ＵＥが前記１つ以上のＰＤＮのうちの少なくとも１つの他のＰＤＮへ接続されている間、前記ネットワークエンティティから受信される、Ｃ２２に記載の方法。
[Ｃ２４]  前記１つ以上のＰＤＮにより提供されるサービスを常時オンステータスを有するとして指定することをさらに備え、前記通知は、前記サービスの前記常時オンステータスに基づいて、前記サービスの損失が検出された時、前記ネットワークエンティティから受信される、Ｃ２１に記載の方法。
[Ｃ２５]  前記サービスが前記アイドルモードの間に損失し、前記通知が、前記ネットワークエンティティによって開始された呼び出しが前記ＵＥによって受信された後に、前記ネットワークエンティティから受信される、Ｃ２４に記載の方法。
[Ｃ２６]  ワイヤレス通信のための装置であって、
無線アクセスネットワーク（ＲＡＮ）に登録するための手段と、
前記ＲＡＮを通じて、１つ以上のパケットデータネットワーク（ＰＤＮ）との接続を確立するための手段と、
アイドルモードに入るための手段と、
前記ＲＡＮのネットワークエンティティに対して常時オンステータスを有するとして指定されたＰＤＮを識別するための手段と、
前記指定されたＰＤＮと前記ＲＡＮとの間の接続が損失した時、前記ネットワークエンティティから通知を受信するための手段と、
を備える、装置。
[Ｃ２７]  前記アイドルモードの間に、前記指定されたＰＤＮと前記ＲＡＮとの間の前記接続が損失した時、前記通知は、前記ネットワークエンティティによって開始された呼び出しが前記ＵＥによって受信された後に、前記ネットワークエンティティから受信される、Ｃ２６に記載の装置。
[Ｃ２８]  前記通知は、前記装置が前記１つ以上のＰＤＮのうちの少なくとも１つの他のＰＤＮへ接続されている間、前記ネットワークエンティティから受信される、Ｃ２７に記載の装置。
[Ｃ２９]  前記１つ以上のＰＤＮによって提供されるサービスを常時オンステータスを有するとして指定するための手段をさらに備え、ここにおいて、前記通知は、前記サービスの前記常時オンステータスに基づいて、前記サービスの損失が検出された時、前記ネットワークエンティティから受信される、Ｃ２６に記載の装置。
[Ｃ３０]  前記サービスが前記アイドルモードの間に損失し、前記通知が、前記ネットワークエンティティによって開始された呼び出しが前記ＵＥによって受信された後に、前記ネットワークエンティティから受信される、Ｃ２９に記載の装置。
[Ｃ３１]  ワイヤレス通信のための装置であって、
メモリと、
前記メモリに結合された処理システムを備え、前記処理システムは、
無線アクセスネットワーク（ＲＡＮ）に登録することと、
前記ＲＡＮを通じて、１つ以上のパケットデータネットワーク（ＰＤＮ）との接続を確立することと、
アイドルモードへ入ることと、
前記ＲＡＮのネットワークエンティティに対して常時オンステータスを有するとして指定されたＰＤＮを識別することと、
前記指定されたＰＤＮと前記ＲＡＮとの間の接続が損失した時、前記ネットワークエンティティから通知を受信することと、
を行うように構成される、装置。
[Ｃ３２]  コンピュータ読み取り可能な媒体を備えるコンピュータプログラム製品であって、
前記コンピュータ読み取り可能な媒体は、
無線アクセスネットワーク（ＲＡＮ）に登録することと、
前記ＲＡＮを通じて、１つ以上のパケットデータネットワーク（ＰＤＮ）との接続を確立することと、
アイドルモードへ入ることと、
前記ＲＡＮのネットワークエンティティに対して常時オンステータスを有するものとして指定されたＰＤＮを識別することと、
前記指定されたＰＤＮと前記ＲＡＮとの間の接続が損失した時、前記ネットワークエンティティから通知を受信することと、
を行うためのコードを備える、
コンピュータプログラム製品。
【図１】
0006449228.tif 000002
【図２】
0006449228.tif 000003
【図３】
0006449228.tif 000004
【図４】
0006449228.tif 000005
【図５】
0006449228.tif 000006
【図６】
0006449228.tif 000007
【図７】
0006449228.tif 000008
【図８】
0006449228.tif 000009
【図９】
0006449228.tif 000010
【図１０】
0006449228.tif 000011
【図１１】
0006449228.tif 000012
【図１２】
0006449228.tif 000013
【図１３】
0006449228.tif 000014